(57)【要約】【課題】部品管理を容易にできるだけでなく、製作コストも削減することができる血糖測定器用ストリップ排出装置を提供する。【解決手段】本発明は、血糖測定器用ストリップ排出装置に関するものであって、測定ストリップを排出させるように移動するエジェクタブロックをハウジングの内部空間に収容することにより、装置の大きさを小型化できるため血糖測定器の空間効率を向上させることができ、部品についての別の追加組立て作業をせず、モジュール単位で血糖測定器のＰＣＢ基板にそのまま実装できるため製作工程の効率を向上させることができ、血糖測定器の排出操作スイッチと結合されるガイド突起をエジェクタブロックの上部及び下部に選択的に、またはすべて形成することにより、排出操作スイッチの装着位置についての設計の自由度を向上させ、様々な種類の血糖測定器にも適用できるためその種類を一つに統一させることができる。
2019527814.tif 000002
【特許請求の範囲】
【請求項１】
血糖測定器の内部に装着され、内部に挿入された測定ストリップを排出させるように形成される血糖測定器用ストリップ排出装置において、
内部に収容空間が形成され、一側には、測定ストリップが挿入されるようにストリップ挿入口が形成されるハウジングと、
前記ハウジングの内部空間に配置されて前記ストリップ挿入口に挿入された測定ストリップの上面及び下面にそれぞれ接触する複数の接触ピンと、
前記ハウジングの内部空間で複数の前記接触ピンの下部に配置されて前記ストリップ挿入口に向かって近接するか、または遠ざかる方向に往復直線移動するように装着され、前記ストリップ挿入口に向かって近接移動する過程で、前記ストリップ挿入口に挿入された測定ストリップを排出させるように、中心部には、前記測定ストリップとかみ合うことができるエジェクティング突起が上向き突出するように形成されるエジェクタブロックと、を含み、
複数の前記接触ピンは、前記エジェクティング突起を中心に、前記エジェクタブロックの左右幅方向の両側にそれぞれ配置される
血糖測定器用ストリップ排出装置。
【請求項２】
前記エジェクタブロックの上面及び下面のうちいずれか一つは、前記血糖測定器に装着された排出操作スイッチと結合できるように、前記ハウジングを貫通して外部に突出するガイド突起が形成され、
前記ハウジングには、前記エジェクタブロックとともに一体として移動するガイド突起の移動経路をガイドするガイドホールが形成される
請求項１に記載の血糖測定器用ストリップ排出装置。
【請求項３】
前記ハウジングは、下面が開放された容器型の上部ハウジングと、前記上部ハウジングの開放された下面に結合される下部ハウジングを含み、
前記エジェクタブロックは、前記下部ハウジングの上面に係着してスライド移動する
請求項２に記載の血糖測定器用ストリップ排出装置。
【請求項４】
前記エジェクタブロックの上面に形成されるガイド突起は、前記エジェクタブロックの両側端部にそれぞれ形成され、
前記エジェクタブロックの下面に形成されるガイド突起は、前記エジェクタブロックの中心部に形成され、
複数の前記接触ピンは、前記エジェクタブロックの上面両側端部に形成されたガイド突起との間に配置される
請求項３に記載の血糖測定器用ストリップ排出装置。
【請求項５】
前記接触ピンは、前記測定ストリップの上面及び下面にそれぞれ接触するように上下に離隔して配置される複数の上部接触ピンと複数の下部接触ピンを含み、
前記上部接触ピンと下部接触ピンは、一端部が前記ストリップ挿入口に挿入された測定ストリップの上面及び下面をそれぞれ弾性加圧できるように形成される
請求項１ないし請求項４のいずれか１項に記載の血糖測定器用ストリップ排出装置。
【請求項６】
前記ハウジングには、前記接触ピンの弾性変形経路をガイドできるように複数の接触ピンガイドホールが形成される
請求項５に記載の血糖測定器用ストリップ排出装置。
【請求項７】
前記上部接触ピンと下部接触ピンの一端部には、前記測定ストリップの上面及び下面にそれぞれ弾性接触するように下向き、または上向きに凸状に湾曲した型の弾性接触部が形成される
請求項５に記載の血糖測定器用ストリップ排出装置。
【請求項８】
前記上部接触ピンに形成される弾性接触部と前記下部接触ピンに形成される弾性接触部は、前記エジェクタブロックの移動方向に沿って互いに異なる位置に順次に形成される
請求項７に記載の血糖測定器用ストリップ排出装置。
【発明の詳細な説明】
【技術分野】
【０００１】
本発明は、血糖測定器用ストリップ排出装置に関する。より具体的には、測定ストリップを排出させるように移動するエジェクタブロックをハウジングの内部空間に収容することにより、装置の大きさを小型化できるため血糖測定器の空間効率を向上させることができ、部品についての別の追加組立て作業をせず、モジュール単位で血糖測定器のＰＣＢ基板にそのまま実装できるため製作工程の効率を向上させることができ、血糖測定器の排出操作スイッチと結合されるガイド突起をエジェクタブロックの上部及び下部に選択的に、またはすべて形成することにより、排出操作スイッチの装着位置についての設計の自由度を向上させ、様々な種類の血糖測定器にも適用できるためその種類を一つに統一させることができ、これにより、部品管理を容易にできるだけでなく、製作コストも削減することができる血糖測定器用ストリップ排出装置に関するものである。
【背景技術】
【０００２】
糖尿病は、現代人に多く発生する慢性疾患で、国内の場合、患者は全人口の５％に相当する２００万人以上に達している。
【０００３】
糖尿病は、肥満、ストレス、不適切な食習慣、先天的遺伝などの様々な原因によって膵臓で作られるインシュリンが絶対的に不足したり、相対的に不足して血液中の糖のバランスを正せないことにより、血液の中に糖成分が絶対的に多くなるために発病する。
【０００４】
血液の中には、通常一定の濃度のブドウ糖が含まれており、組織細胞は、ここでエネルギーを得ている。
【０００５】
しかし、ブドウ糖が必要以上に増加することになると、肝臓や筋肉または脂肪細胞などに適切に保存できず、血液中に蓄積され、これにより、糖尿病患者は、健常者よりもはるかに高い血糖値が維持され、過剰な血糖は、組織をそのまま通過して尿中に排出されることによって、身体の各組織に絶対的に必要な糖分は不足するため、身体各組織に異常を呼び起こすことになる。
【０００６】
糖尿病は、初期にはほとんど自覚症状がないことが特徴なのに、病気が進行すると、糖尿病特有の多飲、多食、多尿、体重減少、全身倦怠、皮膚のかゆみ症、手と足の傷が治らず、長続きする場合などの特有の症状が現れ、病気がさらに進行すると、視力障害、高血圧、腎臓病、中風、歯周病、筋肉のけいれん及び神経痛、壊疽などに進展する合併症が現れる。
【０００７】
このような糖尿病を診断し、合併症に進展しないように管理するためには、体系的な血糖値の測定と治療が並行されるべきである。
【０００８】
糖尿病患者及び糖尿病に進展しなかったが、血液内に正常よりも多くの糖が検出される人々のために多くの医療機器製造会社では、家庭で血糖値を測定するように様々な種類の携帯用血糖測定器を提供している。
【０００９】
図１は、一般的な血糖測定器の構成を概略的に示す図である。
【００１０】
図１に示すように、血糖測定器１０は、測定ストリップ２０をケース１１内部に投入した後、投入した測定ストリップ２０に検査対象者の血液サンプルＴを吸着させ、吸着した血液サンプルＴをケース１１内部の血糖測定モジュールを介して検査して血糖値を測定した後、ケース１１に形成されたディスプレー部１２に血糖測定結果を出力する方式で構成される。ケース１１には、血糖測定器を作動させることができるようにユーザーによって操作される機能スイッチ１３が装着される。
【００１１】
このように血糖値を測定した後は、既に使用した測定ストリップ２０を血糖測定器から除去し、新しい測定ストリップ２０を再投入して新しい検査のために待機状態を維持する動作が繰り返される。
【００１２】
このとき、測定ストリップ２０を血糖測定器１０から分離除去する過程において、測定ストリップ２０を直接把持して血糖測定器から分離すると、測定ストリップに残っている血液サンプルが検査者または検査対象者本人の手につくことになり、これにより、新しい測定ストリップ２０を血糖測定器に投入するとき、手についていた血液が新しい測定ストリップを汚染させることになって誤診が発生できる問題点があり、これを防止するために、検査者または検査対象者が一回の検査を行った後、手を洗ったり衛生用手袋を変えて着用しなければならないなどの煩わしさがあった。
【００１３】
したがって、これらの問題を解決するために、血糖測定器１０のケース１１には、一般的にケース１１内部に投入された測定ストリップ２０を再び外部へ排出するための排出操作スイッチ１４が備えられる。排出操作スイッチ１４は、ケース１１の一面にスライド方式で作動するように装着され、このような排出操作スイッチ１４をスライド操作することにより、ケース１１内部に投入された測定ストリップ２０を外部へ排出させることができる。
【００１４】
このとき、ケース１１の内部には、排出操作スイッチ１４の操作によって測定ストリップ２０を外部へ排出させるストリップ排出装置（図示せず）が装着されるが、従来技術による一般的なストリップ排出装置は、その構成が非常に複雑で組立て過程が煩わしく、製作コストが増加するか、または血糖測定器自体の大きさを増加させるなどの問題があり、特定の血糖測定器についての専用構造によって血糖測定器の種類が異なるに応じて、新しいストリップ排出装置を設計する必要があり、血糖測定器及び排出操作スイッチについての設計の自由度を大きく制限するなどの問題があった。
【発明の概要】
【発明が解決しようとする課題】
【００１５】
本発明は、従来技術の問題点を解決するために発明したものであって、本発明の目的は、測定ストリップを排出させるように移動するエジェクタブロックをハウジングの内部空間に収容することにより、装置の大きさを小型化できるため、血糖測定器の空間効率を向上させることができ、部品についての別の追加組立て作業をせず、モジュール単位で血糖測定器のＰＣＢ基板にそのまま実装できるため製作工程の効率を向上させることができる血糖測定器用ストリップ排出装置を提供するものである。
【００１６】
本発明の他の目的は、血糖測定器の排出操作スイッチと結合されるガイド突起をエジェクタブロックの上部及び下部に選択的に、またはすべて形成することにより、排出操作スイッチの装着位置についての設計の自由度を向上させ、様々な種類の血糖測定器にも適用できるためその種類を一つに統一させることができ、これにより、部品管理を容易にできるだけでなく、製作コストも削減することができる血糖測定器用ストリップ排出装置を提供するものである。
【００１７】
本発明のまた他の目的は、ハウジング内部空間の接触ピンを介して測定ストリップの表面を弾性加圧することにより、投入された測定ストリップについての位置固定力を向上させることができ、同時に、測定ストリップの排出過程において、接触ピンの弾性力による強い排出力を通じて測定ストリップが外部空間に完全に排出除去されることができ、これにより、より便利に使用できる血糖測定器用ストリップ排出装置を提供するものである。
【課題を解決するための手段】
【００１８】
本発明は、血糖測定器の内部に装着され、内部に挿入された測定ストリップを排出させるように形成される血糖測定器用ストリップ排出装置において、内部に収容空間が形成され、一側には、測定ストリップが挿入されるようにストリップ挿入口が形成されるハウジングと、前記ハウジングの内部空間に配置されて前記ストリップ挿入口に挿入された測定ストリップの上面及び下面にそれぞれ接触する複数の接触ピンと、前記ハウジングの内部空間で複数の前記接触ピンの下部に配置されて前記ストリップ挿入口に向かって近接するか、または遠ざかる方向に往復直線移動するように装着され、前記ストリップ挿入口に向かって近接移動する過程で、前記ストリップ挿入口に挿入された測定ストリップを排出させるように、中心部には、前記測定ストリップとかみ合うことができるエジェクティング突起が上向き突出するように形成されるエジェクタブロックと、を含み、複数の前記接触ピンは、前記エジェクティング突起を中心に、前記エジェクタブロックの左右幅方向の両側にそれぞれ配置されることを特徴とする血糖測定器用ストリップ排出装置を提供する。
【００１９】
このとき、前記エジェクタブロックの上面及び下面のうち少なくともいずれか一つは、前記血糖測定器に装着された排出操作スイッチと結合できるように、前記ハウジングを貫通して外部に突出するガイド突起が形成され、前記ハウジングには、前記エジェクタブロックとともに一体として移動するガイド突起の移動経路をガイドするガイドホールが形成され得る。
【００２０】
また、前記ハウジングは、下面が開放された容器型の上部ハウジングと、前記上部ハウジングの開放された下面に結合される下部ハウジングを含み、前記エジェクタブロックは、前記下部ハウジングの上面に係着してスライド移動することができる。
【００２１】
また、前記エジェクタブロックの上面に形成されるガイド突起は、前記エジェクタブロックの両側端部にそれぞれ形成され、前記エジェクタブロックの下面に形成されるガイド突起は、前記エジェクタブロックの中心部に形成され、複数の前記接触ピンは、前記エジェクタブロックの上面両側端部に形成されたガイド突起との間に配置され得る。
【００２２】
また、前記接触ピンは、前記測定ストリップの上面及び下面にそれぞれ接触するように上下に離隔して配置される複数の上部接触ピンと複数の下部接触ピンを含み、前記上部接触ピンと下部接触ピンは、一端部が前記ストリップ挿入口に挿入された測定ストリップの上面及び下面をそれぞれ弾性加圧できるように形成され得る。
【００２３】
また、前記ハウジングには、前記接触ピンの弾性変形経路をガイドできるように複数の接触ピンガイドホールが形成され得る。
【００２４】
また、前記上部接触ピンと下部接触ピンの一端部には、前記測定ストリップの上面及び下面にそれぞれ弾性接触するように下向き、または上向きに凸状に湾曲した型の弾性接触部が形成され得る。
【００２５】
また、前記上部接触ピンに形成される弾性接触部と前記下部接触ピンに形成される弾性接触部は、前記エジェクタブロックの移動方向に沿って互いに異なる位置に順次に形成され得る。
【発明の効果】
【００２６】
本発明によると、測定ストリップを排出させるように移動するエジェクタブロックをハウジングの内部空間に収容することにより、装置の大きさを小型化できるため血糖測定器の空間効率を向上させることができ、部品についての別の追加組立て作業をせず、モジュール単位で血糖測定器のＰＣＢ基板にそのまま実装できるため製作工程の効率を向上させることができる効果がある。
【００２７】
また、血糖測定器の排出操作スイッチと結合されるガイド突起をエジェクタブロックの上部及び下部に選択的に、またはすべて形成することにより、排出操作スイッチの装着位置についての設計の自由度を向上させ、様々な種類の血糖測定器にも適用できるためその種類を一つに統一させることができ、これにより、部品管理を容易にできるだけでなく、製作コストも削減することができる効果がある。
【００２８】
また、ハウジング内部空間の接触ピンを介して測定ストリップの表面を弾性加圧することにより、投入された測定ストリップについての位置固定力を向上させることができ、同時に、測定ストリップの排出過程において、接触ピンの弾性力による強い排出力を通じて測定ストリップが外部空間に完全に排出除去されることができ、これにより、より便利に使用できる効果がある。
【図面の簡単な説明】
【００２９】
【図１】一般的な血糖測定器の構成を概略的に示す図である。
【図２】本発明の一実施例による血糖測定器用ストリップ排出装置の外形を概略的に示す正面斜視図である
【図３】本発明の一実施例による血糖測定器用ストリップ排出装置の外形を概略的に示す背面斜視図である。
【図４】本発明の一実施例による血糖測定器用ストリップ排出装置の構成を概略的に示す分解斜視図である。
【図５】本発明の一実施例による血糖測定器用ストリップ排出装置の接触ピンとエジェクタブロックの相互配置構造を概略的に示す一部分解斜視図である。
【図６】本発明の一実施例による血糖測定器用ストリップ排出装置の内部構成を概略的に示す断面図である。
【図７】本発明の一実施例による血糖測定器用ストリップ排出装置の作動状態を概略的に示す作動状態図である。
【発明を実施するための形態】
【００３０】
以下、本発明の好ましい実施例を添付された図面を参照して詳しく説明する。まず、各図面の構成要素に参照符号を付加することにおいて、同一の構成要素については、たとえ他の図面上に表示されてもできるだけ同一の符号を有するようにしていることに留意すべきである。また、本発明を説明するにおいて、係る公知の構成または機能についての具体的な説明が本発明の要旨をぼかすことができると判断される場合は、その詳細な説明は省略する。
【００３１】
図２及び図３は、本発明の一実施例による血糖測定器用ストリップ排出装置の外形をそれぞれ概略的に示す正面斜視図及び背面斜視図であり、図４は、本発明の一実施例による血糖測定器用ストリップ排出装置の構成を概略的に示す分解斜視図であり、図５は、本発明の一実施例による血糖測定器用ストリップ排出装置の接触ピンとエジェクタブロックの相互配置構造を概略的に示す一部分解斜視図であり、図６は、本発明の一実施例による血糖測定器用ストリップ排出装置の内部構成を概略的に示す断面図であり、図７は、本発明の一実施例による血糖測定器用ストリップ排出装置の作動状態を概略的に示す作動状態図である。
【００３２】
本発明の一実施例による血糖測定器用ストリップ排出装置は、血糖測定器の内部に装着されて内部に挿入された測定ストリップを外部へ排出させることができるように形成される装置として、ハウジング１００と、複数の接触ピン２００と、エジェクタブロック３００を含んで構成される。
【００３３】
ハウジング１００は、内部に収容空間が形成される容器型として形成されるが、図２及び図３に示すように、直方体の型またはこれと異なる様々な型に形成され得る。ハウジング１００の一側には、測定ストリップ２０が挿入されるようにストリップ挿入口１０１が形成される。
【００３４】
これらのハウジング１００は、図４に示すように、下面が開放された容器型の上部ハウジング１１０と、上部ハウジング１１０の開放された下面に結合される下部ハウジング１２０を含んで構成され得、ハウジング１００の内部空間で直線移動するエジェクタブロック３００は、下部ハウジング１２０の上面に係着してスライド移動するように構成され得る。このとき、上部ハウジング１１０は、合成樹脂材質、例えば、液晶ポリマー（ＬＣＰ：Ｌｉｑｕｉｄ  Ｃｒｙｓｔａｌ  Ｐｏｌｙｍｅｒ）が適用され得、下部ハウジング１２０は、エジェクタブロック３００の円滑なスライド移動のために金属材質、例えば、ステンレススチールで適用され得る。
【００３５】
接触ピン２００は、ストリップ挿入口１０１に挿入された測定ストリップ２０の表面に形成された電極端子に接触して測定ストリップ２０から発生した電気信号を血糖測定器の血糖測定モジュールに伝送する機能を行うことで、複数が備えられ、ハウジング１００の内部空間に配置されてストリップ挿入口１０１に挿入された測定ストリップ２０の上面及び下面にそれぞれ接触するように構成される。これらの接触ピン２００は、測定ストリップ２０の上面及び下面にそれぞれ接触するように上下に離隔して配置される複数の上部接触ピン２１０と、複数の下部接触ピン２２０を含んで構成され得る。
【００３６】
エジェクタブロック３００は、ハウジング１００の内部空間で、複数の接触ピン２００の下部に配置されてストリップ挿入口１０１に向かって近接するか、または遠ざかる方向に往復直線移動するように装着されるが、ストリップ挿入口１０１に向かって近接移動する過程で、ストリップ挿入口１０１に挿入された測定ストリップ２０を排出させるように中心部の上面には、測定ストリップ２０とかみ合うことができるエジェクティング突起３１０が上向きに突出するように形成される。これらのエジェクタブロック３００は、血糖測定器についての組立性の向上のために液晶ポリマー材質で製作され得る。
【００３７】
このとき、複数の接触ピン２００は、図５に示すように、エジェクティング突起３１０を中心にエジェクタブロック３００の移動方向についての直角方向、すなわち、エジェクタブロック３００の左右幅方向の両側にそれぞれ配置される。
【００３８】
また、エジェクタブロック３００は、血糖測定器にスライド操作できるように装着された排出操作スイッチ１４（図１参照）と連動して直線移動するように備えられるが、このためにエジェクタブロック３００には、排出操作スイッチ１４と結合されるようにハウジング１００を貫通して外部に突出するガイド突起３２０が形成される。図示せずが、排出操作スイッチ１４の内側面には、エジェクタブロック３００のガイド突起３２０と嵌め合い結合される型の結合部（図示せず）が形成され得る。
【００３９】
これらのガイド突起３２０は、エジェクタブロック３００の上面及び下面の少なくともいずれか一つに形成される。すなわち、ガイド突起３２０は、ユーザーの必要に応じてエジェクタブロック３００の上面に形成されるか、またはエジェクタブロック３００の下面に形成されるか、またはエジェクタブロック３００の上面及び下面の両方に形成され得る。
【００４０】
図２ないし図５は、ガイド突起３２０がエジェクタブロック３００の上面及び下面の両方に形成された型が例示的に示される。エジェクタブロック３００の上面に形成されたガイド突起３２１は、エジェクタブロック３００の幅方向の両側端部にそれぞれ形成され、エジェクタブロック３００の下面に形成されたガイド突起３２２は、エジェクタブロック３００の中心部に形成され得る。
【００４１】
これに対応して、ハウジング１００には、エジェクタブロック３００とともに一体として移動するガイド突起３２０の移動経路をガイドするガイドホール１１１、１２１が形成され、これを介して、エジェクタブロック３００の移動経路がガイドされる。すなわち、上部ハウジング１１０には、エジェクタブロック３００の上面に形成されたガイド突起３２１が貫通挿入されて移動経路がガイドされるガイドホール１１１が形成され、下部ハウジング１２０は、エジェクタブロック３００の下面に形成されたガイド突起３２２が貫通挿入されて移動経路がガイドされるガイドホール１２１が形成される。
【００４２】
この場合、複数の上部接触ピン２１０は、エジェクタブロック３００の上面両側端部にそれぞれ形成されたガイド突起３２１との間に配置される。
【００４３】
このような構成に応じて、本発明の一実施例によるストリップ排出装置は、エジェクタブロック３００がハウジング１００の内部に配置された状態で組立て完了されるので、装置全体の大きさを小型化でき、ストリップ排出装置を一つのモジュール型として血糖測定器に組立てることができるため、組立て作業を迅速かつ容易に行うことができる。また、ガイド突起３２０がハウジング１００の上部及び下部空間に外部に突出するように形成されるので、ユーザーの必要に応じて、血糖測定器の排出操作スイッチ１４の装着位置を自由に選択することができる。
【００４４】
より詳しく説明すると、まず、本発明の一実施例によるストリップ排出装置は、複数の接触ピン２００の配置構造をエジェクタブロック３００のエジェクティング突起３１０の両側に位置させることにより、エジェクティング突起３１０の移動経路が確保されてエジェクタブロック３００をハウジング１００の内部空間に収容することができ、これによって全体の大きさを小型化できる。
【００４５】
また、血糖測定器の組立て過程において、ストリップ排出装置は、血糖測定器の内部のＰＣＢ基板（図示せず）に接触ピン２００がソルダリング接合される方式で実装されるが、このとき、エジェクタブロック３００がハウジング１００の内部に収容されるため、ストリップ排出装置全体をモジュール型でそのままＰＣＢ基板に実装させることができ、エジェクタブロック３００をさらに組立てなければならないなどの別の追加組立て作業が不要である。また、このようなソルダリング実装作業は、高温工程からなるが、このような高温作業過程において、エジェクタブロック３００が損傷されないようにエジェクタブロック３００は、前述したように耐熱性を有する液晶ポリマー（ＬＣＰ）で適用されるのが好ましい。
【００４６】
また、血糖測定器の排出操作スイッチ１４と結合できるガイド突起３２０をハウジング１００の上部及び下部の空間にすべて突出させることにより、様々な種類の血糖測定器についての排出操作スイッチ１４の装着位置設計過程において、ストリップ排出装置の構造変更、特に、エジェクタブロック３００の構造を変更することなく、その装着位置を血糖測定器の上面または下面に自由に選択することができる。すなわち、排出操作スイッチ１４の装着位置についての設計の自由度を向上させることができ、これによって、部品交換なしに同一のエジェクタブロック３００及びこれを含むストリップ排出装置をそのまま用いて排出操作スイッチ１４を自由に変更適用できるため部品管理が容易で、製作性が向上する。
【００４７】
一方、複数の接触ピン３２０ は、前述したように複数の上部接触ピン２１０と複数の下部接触ピン２２０を含んで構成されるが、このとき、上部接触ピン２１０と下部接触ピン２２０は、一端部がストリップ挿入口１０１に挿入された測定ストリップ２０の上面及び下面をそれぞれ弾性加圧できるように形成される。
【００４８】
すなわち、上部接触ピン２１０と下部接触ピン２２０は、図５及び図６に示すように、一側方向が長く形成された弾性力を有する金属材質の平板状に形成され、一端部が測定ストリップ２０の表面に接触するように形成され、他端部は、ハウジング１００に結合固定される。このような構造によって、上部接触ピン２１０と下部接触ピン２２０は、自体弾性力によって測定ストリップ２０の表面を上下方向に弾性加圧することができる。
【００４９】
このとき、ハウジング１００には、上部接触ピン２１０と下部接触ピン２２０の位置をガイドすることとともに、上部接触ピン２１０と下部接触ピン２２０の上下弾性変形経路をガイドできるように接触ピンガイドホール１１２が形成され得る。したがって、測定ストリップ２０がストリップ挿入口１０１を介してハウジング１００の内部空間に挿入されると、測定ストリップ２０は、上部接触ピン２１０と下部接触ピン２２０の上下方向の弾性加圧力によって位置固定された状態に維持される。
【００５０】
このような構造によって、本発明の一実施例による接触ピン２００は、弾性力を有する上部接触ピン２１０と下部接触ピン２２０で測定ストリップ２０を弾性接触加圧するように構成することにより、測定ストリップ２０から発生した電気信号を血糖測定器のＰＣＢ基板に伝送する基本的な機能を行うことと同時にストリップ挿入口１０１に投入された測定ストリップ２０を位置固定させる機能を行う。
【００５１】
一方、上部接触ピン２１０及び下部接触ピン２２０の一端部には、測定ストリップ２０の上面及び下面にそれぞれ弾性接触するように弾性接触部２０１が形成されるが、これらの弾性接触部２０１は、上部接触ピン２１０では、下向きに凸状に湾曲した型に形成され、下部接触ピン２２０では、上向きに凸状に湾曲した型に形成される。このような構造によって、測定ストリップ２０についての弾性加圧力が強化されて測定ストリップ２０についての位置固定機能がさらに強化され得る。
【００５２】
また、上部接触ピン２１０に形成された弾性接触部２０１と下部接触ピン２２０に形成された弾性接触部２０１は、図５及び図６に示すように、エジェクタブロック３００の移動方向に沿って互いに異なる位置に順次に形成され得る。これらの弾性接触部２０１の形状及び順次配置構造に応じて、測定ストリップ２０の排出過程で測定ストリップ２０が弾性反発力によって外部方向に強く排出されることができる。
【００５３】
より詳しく説明すると、図７の（ａ）及び（ｂ）に示すように、ストリップ挿入口１０１に測定ストリップ２０が挿入された状態でエジェクタブロック３００がストリップ挿入口１０１側に移動すると、（このような方向にエジェクタブロック３００が移動することは、血糖測定器の排出操作スイッチ１４をユーザーがスライド移動させることによって発生する）、測定ストリップ２０は、エジェクタブロック３００のエジェクティング突起３１０とのかみ合いによってストリップ挿入口１０１の外側方向に押し出される。このとき、測定ストリップ２０は、上部接触ピン２１０及び下部接触ピン２２０の弾性接触部２０１によって弾性加圧された状態であるが、弾性接触部２０１の順次配置状態に応じて、ストリップ挿入口１０１に最も近接して位置する上部接触ピン２１０の弾性接触部２０１から測定ストリップ２０が外側方向に押し出される瞬間、当該の弾性接触部２０１か図７の（ｂ）に示すように、微細に下向き弾性移動することになり、これらの弾性接触部２０１の下向き弾性移動過程において、測定ストリップ２０を弾性力によって強く外側方向に押し出すことにより、測定ストリップ２０が外側方向に強く排出される。
【００５４】
すなわち、エジェクタブロック３００の移動を通じて測定ストリップ２０が外側方向に移動排出される途中に、ストリップ挿入口１０１に最も近接した上部接触ピン２１０の弾性接触部２０１の位置を抜ける瞬間弾性接触部２０１の下向き弾性移動によって、測定ストリップ２０が外側方向に強く排出される。このような強い排出力は、エジェクタブロック３００によるものではないため、以後の区間で測定ストリップ２０の排出過程は、エジェクタブロック３００の移動がなくても自動的に行われる。
【００５５】
つまり、エジェクタブロック３００をストリップ挿入口１０１の入口端まで完全に移動させなくても、測定ストリップ２０は、接触ピン３２０の弾性力によって自動的にハウジング１００の外部空間に完全に排出除去されることができるため、最後までユーザーが直接測定ストリップ２０を手で除去する必要がなく、より便利に使用できる。
【００５６】
以上の説明は、本発明の技術思想を例示的に説明したものに過ぎず、本発明が属する技術分野で通常の知識を有する者であれば、本発明の本質的な特性から逸脱しない範囲で様々な修正及び変形が可能である。したがって、本発明に開示された実施例は、本発明の技術思想を限定するためではなく説明するためのものであり、これらの実施例によって本発明の技術思想の範囲が限定されるものではない。本発明の保護範囲は、以下の請求範囲によって解釈すべきであり、これと等しい範囲内にあるすべての技術思想は、本発明の権利範囲に含まれるものと解釈すべきである。
【図１】
2019527814.tif 000003
【図２】
2019527814.tif 000004
【図３】
2019527814.tif 000005
【図４】
2019527814.tif 000006
【図５】
2019527814.tif 000007
【図６】
2019527814.tif 000008
【図７】
2019527814.tif 000009
【国際調査報告】
2019527814.tif 000010
2019527814.tif 000011
2019527814.tif 000012
2019527814.tif 000013